(57)【要約】【課題】ユーザにとって使いやすく利便性に優れた会議用情報端末装置１を提供する。【解決手段】会議用情報端末装置１は、平板状の本体４と、本体４と重なり合う平板状の入力表示部２と、本体４と入力表示部２とを連結する連結部１０と、本体４の端部に連結部１０を回動可能に連結する本体側ヒンジ７と、入力表示部２を連結部１０に対して回動可能に連結する表示部側ヒンジ８とを備え、本体４の表面が鉛直方向上向きとなるように載置台１００上に設置して使用するものであり、表示部側ヒンジ８を軸として入力表示部２を回動させて、入力表示部２の入力表示面３を上向きとすると共に、本体側ヒンジ７を軸として連結部１０を本体４側に回動させたときに、入力表示部２の下端が、本体４が設置されている載置台１００に当接する。これにより、ユーザにとって使いやすく利便性に優れた会議用情報端末装置１を提供することができる。【選択図】図１
2011164818.tif 000002
【特許請求の範囲】
【請求項１】
平板状の本体と、該本体と重なり合う平板状の表示部と、上記本体と上記表示部とを連結する連結部と、上記本体の端部に上記連結部を回動可能に連結する本体側ヒンジと、該表示部を上記連結部に対して回動可能に連結する表示部側ヒンジとを備え、上記本体の表面が鉛直方向上向きとなるように平面上に設置して使用する電子機器であって、
上記表示部側ヒンジを軸として上記表示部を回動させて、該表示部の表示面を上向きとすると共に、上記本体側ヒンジを軸として上記連結部を上記本体側に回動させたときに、上記表示部の下端が、上記本体が設置されている平面に当接することを特徴とする電子機器。
【請求項２】
上記本体側ヒンジは、上記連結部を上記本体側に回動させるときに必要なトルクが、上記連結部をその反対側に回動させるときに必要なトルクよりも大きいことを特徴とする請求項１に記載の電子機器。
【請求項３】
上記表示面は、液晶表示パネルであり、荷電したときの中間階調における画素の明るさが、上端側から下端側に近付くにつれて明るくなる向きで上記表示部に固定されていることを特徴とする請求項１または２に記載の電子機器。
【請求項４】
上記連結部は、上記表示部よりも幅の狭い平板状であり、
上記表示部の下端が、上記本体が設置されている平面に当接する状態において、上記本体の表面の上記連結部及び上記表示部と重なり合わない領域に、自機器から音声を出力する音声出力手段、自機器に音声を入力する音声入力手段、及び自機器の動作状態を表示する動作状態表示手段の少なくとも何れかが設けられていることを特徴とする請求項１から３の何れか１項に記載の電子機器。
【請求項５】
上記表示部側ヒンジを軸として上記表示部を回動させて、該表示部の裏面と上記連結部とを当接させると共に、上記本体側ヒンジを軸として上記連結部を上記本体側に回動させることによって、上記本体と上記表示部とを重なり合わせた状態で、上記本体と上記表示部とを係止する係止部を備えていることを特徴とする請求項１から４の何れか１項に記載の電子機器。
【発明の詳細な説明】
【技術分野】
【０００１】
本発明は、ユーザにとって使いやすく利便性に優れた電子機器に関するものである。
【背景技術】
【０００２】
従来より、パソコン等の電子機器への入力としては、キーボードによるキー入力が主流であった。
【０００３】
しかしながら、近年、表示面と一体化されたタブレットでのペン入力技術が発達し、ペンによる手書き文字入力、イメージ入力、手書き編集なども実現可能となっている。また、指などを液晶ディスプレイに直接接触させることによって情報を入力するタッチパネル技術も発達している。
【０００４】
ここで、キー入力操作を行う場合は、表示面を目前に配置し、その手前にキーボードを配置してタッチタイピングを行うのが好ましく、この状態でキー入力操作を行うのが標準姿勢とされている。
【０００５】
一方、たとえばタブレットでのペン入力を行う場合は、表示面であるタブレット面を上方に向けて配置し、机上の紙に文字を書くようにペンを使うのが好ましく、この状態でペン入力操作を行うのが標準姿勢とされている。このことは、タッチパネル方式でも同様である。
【０００６】
加えて、携帯に便利な情報処理装置としてコンパクトな収納形態も必要となる。
【０００７】
このように、情報処理装置には、表示部の表示面を本体に設けられたキーボードと対向するように折り畳んだ収納状態と、キー入力操作が行えるように、表示部の表示面を本体に対してある角度以上開いたキー入力操作状態と、ペン入力操作もしくはタッチパネル方式での入力が行えるように、本体のキーボードの上方で表示部の表示面を上向きに配置したペン入力操作状態との３つの状態が要求される。
【０００８】
このように、使用状態に応じて形態が変化する情報処理装置が特許文献１および２に開示されている。
【先行技術文献】
【特許文献】
【０００９】
【特許文献１】特開平６−３２４７５９号公報（１９９４年１１月２５日公開）
【特許文献２】特開２００４−１９９２１９号公報（２００４年７月１５日公開）
【発明の概要】
【発明が解決しようとする課題】
【００１０】
しかしながら、特許文献１に記載の携帯型電子機器は、そもそも、本体のキーボードの上方で表示部の表示面を上向きに配置することはできない。
【００１１】
特許文献２に記載の情報処理装置は、回転した表示面が真上を向いた状態で装置本体の上方に配設されるため、ユーザは、ペン入力する際に真上から覗き込む操作姿勢を強いられる。また、装置本体の高さの影響を受けて、ユーザは、ペン入力時に肘を曲げた不自然な姿勢を強いられる。このような理由から、特許文献２に記載の情報処理装置は、利便性に優れた情報処理装置を実現しているとは言い難い。
【００１２】
本願発明は、上記従来の問題点に鑑みなされたものであって、その目的は、ユーザにとって使いやすく利便性に優れた電子機器を提供することにある。
【課題を解決するための手段】
【００１３】
本発明に係る電子機器は、上記の課題を解決するために、
平板状の本体と、該本体と重なり合う平板状の表示部と、上記本体と上記表示部とを連結する連結部と、上記本体の端部に上記連結部を回動可能に連結する本体側ヒンジと、該表示部を上記連結部に対して回動可能に連結する表示部側ヒンジとを備え、上記本体の表面が鉛直方向上向きとなるように平面上に設置して使用する電子機器であって、
上記表示部側ヒンジを軸として上記表示部を回動させて、該表示部の表示面を上向きとすると共に、上記本体側ヒンジを軸として上記連結部を上記本体側に回動させたときに、上記表示部の下端が、上記本体が設置されている平面に当接することを特徴としている。
【００１４】
上記構成によれば、本発明に係る電子機器は、表示部側ヒンジを軸として表示部を回動させて、該表示部の表示面を上向きとすることができる。このとき、表示部は、本体に接続された連結部を介して表示部側ヒンジに連結している。さらに、本体側ヒンジを軸として連結部を本体側に回動させたときに、表示部の下端は、本体が設置されている平面に当接している。
【００１５】
つまり、表示部は、上記の状態において、表示部側ヒンジと上記平面とに支持されており、その支持される位置（高さ）は、平面が表示部を支持する位置の方が低くなる。従って、本発明に係る電子機器は、表示面が傾斜をもって支持された状態（以下、「第２入力操作状態」と称する場合もある。）を実現することができる。
【００１６】
それゆえ、ユーザは、表示面を確認する際に真上から覗き込む操作姿勢を要求されることはない。また、ユーザが本体上方から覗き込みやすくするために本体を手元に引き寄せるといった動作も不要となる。さらに、表示面に対して入力操作が可能な場合には、本体の高さの影響を受けて、入力操作時に肘を曲げた不自然な姿勢を強いられることもなく、ユーザへの負担を軽減することができる。
【００１７】
このように、本発明に係る電子機器では、表示面が傾斜をもって表示部側ヒンジと上記平面とによって支持されるため、ユーザにとって使いやすく、かつ利便性に優れた電子機器を実現することができる。
【００１８】
さらに、本発明に係る電子機器では、
上記本体側ヒンジは、上記連結部を上記本体側に回動させるときに必要なトルクが、上記連結部をその反対側に回動させるときに必要なトルクよりも大きいことが好ましい。
【００１９】
「上記連結部を上記本体側に回動させる」とは、表示部が第２入力操作状態へ向かって回動すること、あるいは、表示部が本体と重なり合う方向に回動することを意味する。
【００２０】
従って、本発明に係る電子機器では、上記トルク差を設けることにより、上記連結部を上記本体側に回動させる方向とは反対の方向、すなわち、表示部を本体に対して「開く」方向に移動させやすいため、ユーザが、本体と表示部との間、あるいは表示部と平面との間に手や指を挟んだ場合に、その衝撃を緩和できるという効果を奏する。
【００２１】
さらに、本発明に係る電子機器では、
上記表示面は、液晶表示パネルであり、荷電したときの中間階調における画素の明るさが、上端側から下端側に近付くにつれて明るくなる向きで上記表示部に固定されていることが好ましい。
【００２２】
液晶が荷電されると、その方向を変えるために画素に明暗が生じる。このとき、液晶の配勾向きにより、明暗が液晶パネルの上下で相違する。その明暗は、通常の液晶パネルの配置であれば、色が反転したように表示面の上端側から下端側へ向かうにつれ白（明）から黒（暗）へと変化してゆく。そして、白い方が、表示面の映像がより鮮明に表示される。
【００２３】
この点、本発明に係る電子機器では、液晶パネルは、荷電したときの中間階調における画素の明るさが、上端側から下端側に近付くにつれて明るくなる向きで上記表示部に固定されている。
【００２４】
これにより、ユーザに近い方である表示面の下端側の映像がより鮮明に表示されるため、ユーザにとって利便性の高い電子機器を実現することができる。
【００２５】
さらに、本発明に係る電子機器では、
上記連結部は、上記表示部よりも幅の狭い平板状であり、
上記表示部の下端が、上記本体が設置されている平面に当接する状態において、上記本体の表面の上記連結部及び上記表示部と重なり合わない領域に、自機器から音声を出力する音声出力手段、自機器に音声を入力する音声入力手段、及び自機器の動作状態を表示する動作状態表示手段の少なくとも何れかが設けられていることが好ましい。
【００２６】
上記表示部の下端が上記本体が設置されている平面に当接する状態において、上記本体の表面の上記連結部及び上記表示部と重なり合わない領域は、その領域の上方が開放されている。
【００２７】
従って、その領域は、表示部や連結部が覆いかぶさることがないため、音声出力手段、音声入力手段、及び動作状態表示手段の少なくとも何れかを当該領域に設けた場合に、当該各手段の有する機能を十全に発揮させることができる。
【００２８】
さらに、本発明に係る電子機器では、
上記表示部側ヒンジを軸として上記表示部を回動させて、該表示部の裏面と上記連結部とを当接させると共に、上記本体側ヒンジを軸として上記連結部を上記本体側に回動させることによって、上記本体と上記表示部とを重なり合わせた状態で、上記本体と上記表示部とを係止する係止部を備えていることが好ましい。
【００２９】
上記本体と上記表示部とを係止する係止部を備えていることにより、本発明に係る電子機器は、表示部の表示面を本体の表面に対向する位置に配置してなる状態（以下、「収納状態」と称する場合もある。）をより安定的に保持することができる。従って、ユーザが収納状態で電子機器を持ち運ぶ際に、収納状態が不意に解除される事態を回避することができる。
【００３０】
なお、係止部は、例えば、表示部に設けた凹部と本体に設けた凸部とを互いに係合させる構成や、表示面および本体に設けた磁石を互いに接合させるといった種々の構成などで実現することができる。
【発明の効果】
【００３１】
本発明に係る電子機器は、以上のように、上記表示部側ヒンジを軸として上記表示部を回動させて、該表示部の表示面を上向きとすると共に、上記本体側ヒンジを軸として上記連結部を上記本体側に回動させたときに、上記表示部の下端が、上記本体が設置されている平面に当接する構成である。
【００３２】
それゆえ、ユーザにとって使いやすく利便性に優れた入力装置を実現することができるという効果を奏する。
【図面の簡単な説明】
【００３３】
【図１】本発明に係る会議用情報端末装置の構造、および動作を説明するための図であり、（ａ）は収納状態を、（ｂ）は第１入力操作状態を、（ｃ）は第１入力操作状態から第２入力操作状態へ移行する状態を、（ｄ）は第２入力操作状態を、それぞれ示す図である。
【図２】本発明に係る会議用情報端末装置の動作を説明するための側面図である。
【図３】ＬＥＤライトおよびマイクの取付位置を説明するための図であり、（ａ）は第１入力操作状態のときの、（ｂ）は第２入力操作状態のときの様子を示す図である。
【図４】本体の裏面に取り付けられた回転コマおよび滑り止めシートを説明するための図であって、本発明に係る会議用情報端末装置の下面図である。
【図５】本発明に係る会議用情報端末装置が係止部を備える構成について説明する図である。
【図６】本体側ヒンジを説明するための図であり、（ａ）は、本体側ヒンジの正面図であり、（ｂ）は、本体側ヒンジの側面図である。
【図７】入力表示部と連結部とを結合する表示部側ヒンジの詳細を説明するための図である。
【図８】本発明に係る会議用情報端末装置が収納状態にあるときの、本体側ヒンジおよび表示部側ヒンジの動作を示す図であり、（ａ）は上面図を、（ｂ）は斜視図を、（ｃ）は背面図を、（ｄ）は側面図を、それぞれ表す図である。
【図９】本発明に係る会議用情報端末装置が第１入力操作状態にあるときの、本体側ヒンジおよび表示部側ヒンジの動作を示す図であり、（ａ）は上面図を、（ｂ）は斜視図を、（ｃ）は背面図を、（ｄ）は側面図を、それぞれ表す図である。
【図１０】本発明に係る会議用情報端末装置が第１入力操作状態〜第２入力操作状態の移行中における、本体側ヒンジおよび表示部側ヒンジの動作を示す図であり、（ａ）は上面図を、（ｂ）は斜視図を、（ｃ）は背面図を、（ｄ）は側面図を、それぞれ表す図である。
【図１１】本発明に係る会議用情報端末装置が第２入力操作状態にあるときの、本体側ヒンジおよび表示部側ヒンジの動作を示す図であり、（ａ）は上面図を、（ｂ）は斜視図を、（ｃ）は背面図を、（ｄ）は側面図を、それぞれ表す図である。
【図１２】接触緩和ゴムの取付位置を説明するための図である。
【図１３】入力表示部の底面における、接触緩和ゴムの取付位置を示す図である。
【図１４】入力表示部の底面であって、本体と接触する箇所に取り付けられる接触緩和ゴムの実施例を説明するための図である。
【図１５】本発明に係る会議用情報端末装置のサーバとの関係、および内部構成について説明するための図である。
【図１６】液晶パネルの視野角を説明するための図であり、（ａ）は、電圧をオフしたときに画素が明となる状態を、（ｃ）は、電圧をオンにしたときに画素が暗となる状態を、（ｂ）は、その中間調の状態を示す図である。
【図１７】本体側ヒンジの分解斜視図である。
【図１８】図６（ａ）のＡ−Ａ’断面図である。
【発明を実施するための形態】
【００３４】
本発明に係る会議用情報端末装置（電子機器）１を図１〜図１８を参照して説明する。なお、説明の便宜のため、図１において、会議用情報端末装置１の長手方向がＸ軸、そのＸ軸に垂直な方向がＹ軸、Ｘ軸とＹ軸とに垂直な方向（重力方向）がＺ軸であるものとして説明する。また、図１以外の図面において、Ｘ軸、Ｙ軸、Ｚ軸を用いて説明する場合には、各軸の定義は、図１におけるＸ軸、Ｙ軸、Ｚ軸の定義に従うものとする。さらに、以降の説明において、上側、下側という場合、重力のかかる方向が下側、その反対側が上側であるものとする。
【００３５】
〔会議用情報端末装置１の構成〕
図１は、会議用情報端末装置１の構造、および動作を説明するための図であり、図１（ａ）は収納状態を、図１（ｂ）は第１入力操作状態を、図１（ｃ）は第１入力操作状態から第２入力操作状態へ移行する状態を、図１（ｄ）は第２入力操作状態を、それぞれ示す図である。
【００３６】
なお、収納状態とは、入力表示部２の入力表示面３を、本体４のキー入力操作部５と対向する位置に配置してなる状態をいう。第１入力操作状態とは、ユーザが入力表示面３を見ながらキー入力操作部５によるキー入力操作が行えるように、入力表示面３をキー入力操作部５に対してある角度以上開いてなる状態をいう。第２入力操作状態とは、入力表示部２の入力表示面３へのデータ入力操作が行えるように、入力表示面３を上向きに配置してなる状態をいう。
【００３７】
最初に、会議用情報端末装置１の概略構造を図１を参照して説明する。
【００３８】
会議用情報端末装置１は、会議やミーティングなどで使用されるものであり、一または複数の会議用情報端末装置１がサーバと接続している。そして、ユーザは、会議用情報端末装置１を用いて、同じ会議室内あるいは遠隔の会議室間で、サーバを介した共通の画面の確認、画面操作等を行う。
【００３９】
その会議用情報端末装置１は、例えば図１（ｂ）、図１（ｃ）に示すとおり、ペン入力可能な入力表示面（表示面）３を有する平板状の入力表示部（表示部）２と、キー入力操作部５を有する平板状の本体４と、入力表示部２を本体４に連結する連結部１０とを備えている。また、会議用情報端末装置１は、連結部１０の一端部を本体４に対して回動可能に結合する本体側ヒンジ７と、入力表示部２を連結部１０の他端部に回動可能に結合する表示部側ヒンジ８とを備える（図１（ｂ）、図１（ｃ）では、本体側ヒンジ７および表示部側ヒンジ８は不図示）。さらに、会議用情報端末装置１は、本体４のキー入力操作部５の近傍にタッチパッド６を備えていてもよい。
【００４０】
入力表示面３は、ＬＣＤ（液晶ディスプレイ）、ＰＤＰ（プラズマディスプレイパネル）、またはＣＲＴ（cathode-ray tube）ディスプレイなどのフラットディスプレイで構成される。また、入力表示面３は、入力表示面３にデータ入力手段としての透明タブレットを重ねて、ペンによるペン入力が可能であってよい。あるいは、データ入力手段は、タッチパネル技術を用いた指入力等が可能であってよい。
【００４１】
本体４の表面に設けられたキー入力操作部５は、ユーザが会議用情報端末装置１を動作させるための指示信号を入力するものであり、いわゆるキーボードと考えてよい。なお、図示していないが、会議用情報端末装置１は、他の操作部として、会議用情報端末装置１を遠隔操作するリモコンや、会議用情報端末装置１自体に設けられた操作ボタン、あるいは、会議用情報端末装置１に接続されたマウスなどを有してもよい。
【００４２】
連結部１０は、本体４と入力表示部２とを連結するものであり、その一端において本体側ヒンジ７と、他端において表示部側ヒンジ８と連結している。
【００４３】
本体側ヒンジ７は、本体４の端部に連結部１０を回動可能に結合する。すなわち、本体側ヒンジ７は、図１（ｂ）に示すように、本体４のＹ軸方向の端部（キー入力操作部５から見て、タッチパッド６が配設されている側とは反対側の端部）において、本体４の端部に連結部１０を回動可能に結合する。
【００４４】
表示部側ヒンジ８は、連結部１０の他端部を入力表示部２に対して回動可能に結合するものであり、入力表示部２の裏面側に設けられている。ただし、表示部側ヒンジ８は、入力表示部２の側面に設けられる構成で実現されてもよい。
【００４５】
ここで、上記では、本発明に係る電子機器は、会議用情報端末装置であるものとして説明している。しかしながら、本発明に係る電子機器は、同様の機能を有する会議用情報端末装置以外の用途に適用することも可能である。また、上記では、入力表示部２は、入力表示面３を備えるものとして説明している。しかしながら、入力表示部２は、入力手段を備えない表示面を備えるものであってもよい。
【００４６】
以上、会議用情報端末装置１の構成を説明した。ここで、会議用情報端末装置１は、さらに、マイク（音声入力手段）２０、ＬＥＤライト（動作状態表示手段）２１、回転コマ２２、滑り止めシート２３、及び、係止部２４を備える構成で実現されてもよい。以下、それらの構成について説明する。
【００４７】
〔会議用情報端末装置１の他の構成〕
上述したように、会議用情報端末装置１は、さらに、マイク２０、ＬＥＤライト２１、回転コマ２２、及び滑り止めシート２３、係止部２４を備えてもよい。そこで、これらの構成を図３から図５を用いて説明する。
【００４８】
〔ＬＥＤライト、マイクについて〕
図３は、マイク２０およびＬＥＤライト２１の取付位置を説明するための図であり、図３（ａ）は第１入力操作状態のときの、図３（ｂ）は第２入力操作状態のときの様子を示す図である。なお、説明の便宜のため、図３（ａ）に示すように、本体４の四辺に沿ってＸ１軸、Ｘ２軸、Ｙ１軸、Ｙ２軸を仮挿している。
【００４９】
図３（ａ）に示すように、会議用情報端末装置１は、ユーザの声を拾うマイク２０ａ・２０ｂと、会議用情報端末装置１の動作状態を確認するためのＬＥＤライト２１とを備える。なお、動作状態の確認とは、例えば会議用情報端末装置１が電源ＯＮのときＬＥＤライト２１は点灯し、会議用情報端末装置１が電源ＯＦＦのときＬＥＤライト２１は消灯する、ということを言う。
【００５０】
図示するように、マイク２０ａは、本体４の上面であって、Ｘ２軸・Ｙ２軸が交差する近傍に配設される。一方、マイク２０ｂおよびＬＥＤライト２１は、Ｘ１軸・Ｙ２軸が交差する近傍に配設される。この結果、第１入力操作状態において、入力表示部２や連結部１０が上方に覆い被さることもなく、マイク２０ａ・２０ｂおよびＬＥＤライト２１は、各々の有する機能を十分に発揮することができる。このことは、図３（ｂ）で示される第２入力操作状態においても同様である。
【００５１】
すなわち、会議用情報端末装置１は、マイク２０ａ・２０ｂおよびＬＥＤライト２１を上記の位置に備えることにより、第１入力操作状態および第２入力操作状態それぞれにおいて、マイク２０ａ・２０ｂおよびＬＥＤライト２１の有する機能を十分に発揮させることができる。
【００５２】
なお、マイク２０ａ・２０ｂおよびＬＥＤライト２１を取り付ける好適な位置（領域）は、上記の領域に限られない。つまり、図３（ｂ）に示すように、連結部１０は、入力表示部２よりも幅の狭い平板状であり、入力表示部２の下端が、本体４が設置されている平面に当接する状態（第２入力操作状態）において、本体４の表面の連結部１０及び入力表示部２と重なり合わない領域に、マイク２０ａ・２０ｂおよびＬＥＤライト２１を取り付ければよい。これにより、マイク２０ａ・２０ｂおよびＬＥＤライト２１は、第１入力操作状態および第２入力操作状態において、入力表示部２や連結部１０が上方に覆い被さり各々の有する機能が損なわれるといった問題を回避することができる。
【００５３】
ここで、マイク２０ａ・２０ｂおよびＬＥＤライト２１は、周知のマイクおよびＬＥＤライトであってよく、特定の種類に限定されるものではない。
【００５４】
さらに、会議用情報端末装置１は、会議の参加者の発言を伝達するためのスピーカ（音声出力手段）を備えてもよい。その取付位置は、入力表示部２および本体４の任意の位置であってよいが、本体４の表面の連結部１０及び入力表示部２と重なり合わない領域とすることが好ましい。これにより、スピーカは、第１入力操作状態および第２入力操作状態において、入力表示部２や連結部１０が上方に覆い被さり、その機能が損なわれるといった問題を回避することができる。
【００５５】
〔回転コマ、滑り止めシートについて〕
次に、会議用情報端末装置１が回転コマ２２および滑り止めシート２３を備える構成を図４を参照して説明する。図４は、本体４の裏面に取り付けられた回転コマ２２および滑り止めシート２３を説明するための図であって、会議用情報端末装置１の下面図である。
【００５６】
図示のとおり、回転コマ２２は、本体４の裏面に２箇所取り付けられる。その取り付け位置は、特に限定されないが、Ｘ１軸とＹ２軸、及び、Ｘ２軸とＹ２軸（図３（ａ）のＸ１軸、Ｘ２軸、Ｙ１軸、Ｙ２軸に対応）が交差する領域周辺が好ましい。
【００５７】
これにより、ユーザは、会議用情報端末装置１を載置台（平面）１００上で移動させるときに、自身から見て本体４の手前側（Ｙ１軸側）を持ち上げ、そのうえで、自身から見て遠い側（Ｙ２軸側）に配設された回転コマ２２の回転動作を利用することにより、会議用情報端末装置１を容易に移動させることができる。
【００５８】
ただし、回転コマ２２を設ける位置は、上記の位置に限られず、本体４の裏面のいずれの位置とすることも可能である。また、回転コマ２２の数量は２つに限られず、１つ、あるいは３以上の数量であってもよい。そして、回転コマ２２は、公知技術を用いて実現される如何なる構造のコマで実現されてもよい。
【００５９】
次に、滑り止めシート２３について説明する。滑り止めシート２３は、本体４が載置台１００上を滑らないようにするものである。図中では、滑り止めシート２３は、本体４の裏面に、本体４のＸ軸方向に２枚貼り付けられている。滑り止めシート２３が効果を発揮するケースとしては、回転コマ２２が載置台１００から滑り落ちたときに、本体４が載置台１００上をそれ以上滑らないようにする場合が考えられる。
【００６０】
なお、滑り止めシート２３を貼り付ける位置は、上記の位置に限られず、本体４の裏面のいずれの位置であってよい。また、滑り止めシート２３の数量は２つに限られず、１つ、あるいは３以上の数量であってもよい。そして、滑り止めシート２３は、公知技術を用いて実現される如何なる材料のもので実現されてもよい。
【００６１】
〔係止部について〕
次に、図５を参照して、会議用情報端末装置１が係止部２４（２４ａ・２４ｂ）を備える構成について説明する。
【００６２】
図示するように、入力表示部２は、入力表示面３の両横（Ｘ軸方向）に凹部２４ａを備える。また、本体４は、キー入力操作部５の両横（Ｘ軸方向）に凸部２４ｂを備える。そして、その凹部２４ａおよび凸部２４ｂは、会議用情報端末装置１が収納状態にあるときに、互いに係合する位置に位置決めされている。これにより、会議用情報端末装置１は、収納状態において凹部２４ａと凸部２４ｂとが係合するため、入力表示部２と本体４とを係止することができる。
【００６３】
すなわち、会議用情報端末装置１では、収納状態は、本体側ヒンジ７および表示部側ヒンジ８の回動によってもたらされる。そして、本体側ヒンジ７および表示部側ヒンジ８は、その構造ゆえに動作しやすく、収納状態から第１入力操作状態へと容易に移行してしまう。換言すれば、収納状態は非常に不安定な状態であると言える。
【００６４】
そこで、会議用情報端末装置１が係止部２４（凹部２４ａ・凸部２４ｂ）を備えることにより、凹部２４ａおよび凸部２４ｂが互いに係合して、収納状態をより安定的に保つことが可能となる。つまり、係止部２４によって本体側ヒンジ７および表示部側ヒンジ８の“あそび”を無くすことができるため、ユーザが会議用情報端末装置１を持ち運ぶ場合においても、収納状態を確実に保持することができる。
【００６５】
なお、凹部２４ａおよび凸部２４ｂは、図示する位置に限られず、互いに係合可能であれば何れの位置に位置決めされてもよい。また、上記では、入力表示面３の両横に凹部２４ａを、キー入力操作部５の両横に凸部２４ｂを設けるものとして説明した。しかしながら、係止部２４は、入力表示面３の両横に凸部２４ｂを、キー入力操作部５の両横に凸部凹部２４ａを設ける構成で実現されてもよい。
【００６６】
また、上記では、係止部２４は、凹部２４ａおよび凸部２４ｂからなるものとして説明した。しかしながら、係止部２４は、入力表示部２および本体４それぞれに備えられた磁石により実現されてもよい。すなわち、入力表示部２が、入力表示面３の両横にＳ極（Ｎ極）磁石を備え、本体４が、キー入力操作部５の両横にＮ極（Ｓ極）磁石を備える。そして両磁石は、会議用情報端末装置１が収納状態にあるときに、互いに引き合う位置に位置決めされている。これにより、会議用情報端末装置１は、収納状態において上記２つの磁石が引き合うため、入力表示部２と本体４とを係止することができる。
【００６７】
このように、係止部２４は、種々の構成によって実現されてよい。
【００６８】
〔本体側ヒンジ７および表示部側ヒンジ８の構成〕
続いて、本体側ヒンジ７の構成を図６、図１７、図１８により説明する。
【００６９】
図６は、本体側ヒンジ７を説明するための図であり、図６（ａ）は、本体側ヒンジ７の正面図であり、図６（ｂ）は、本体側ヒンジ７の側面図である。また、図１７は、本体側ヒンジ７の分解斜視図であり、図１８は図６（ａ）のＡ−Ａ’断面図である。
【００７０】
図１７に示すとおり、本体側ヒンジ７は、ブラケット７ａと、スプリング７ｂと、シャフト７ｃと、ストッパ７ｄと、を備える。そして、図６（ａ）および図６（ｂ）に示すように、シャフト７ｃは、ブラケット７ａに設けられたシャフト開口部を通り（図１８参照）、さらにスプリング７ｂの内部を通り、ストッパ７ｄに係止されている。
【００７１】
このように構成された本体側ヒンジ７において、ブラケット７ａは状態保持機能を有し、スプリング７ｂは、バネの反発力を利用して、入力表示部２を上方に付勢する機能（付勢機能）を有する。
【００７２】
具体的には、ブラケット７ａは、本体４に対してある角度を保持した状態の入力表示部２をそのままの状態に保持するためのものである。すなわち、ブラケット７ａは、自身の重力により下方に移動しようとする入力表示部２を、ブラケット７ａとシャフト７ｃとの間の摩擦力を利用して、そのままの状態に保持することができる。
【００７３】
一方、スプリング７ｂは、入力表示部２が、収納状態から第１入力操作状態へ移行するときに、あるいは、第２入力操作状態から第１入力操作状態へ移行するときに、バネの反発力を利用して、入力表示部２を上方に付勢する機能（付勢機能）を有する。これにより、入力表示部２を本体４から持ち上げるときにユーザに求められる負荷を軽減することができる。
【００７４】
このように、本体側ヒンジ７は、状態保持機能および付勢機能を併せ持つものである。なお、そのような機能を有するヒンジとして、トーションスプリング付ヒンジを用いることができる。
【００７５】
次に、表示部側ヒンジ８の構成を図７により説明する。
【００７６】
図７は、表示部側ヒンジ８の詳細を説明するための図である。表示部側ヒンジ８は、入力表示部２の裏面に結合する表示部側結合板８ａと、連結部１０に結合する連結部側結合板８ｂと、表示部側結合板８ａおよび連結部側結合板８ｂを係合する軸部８ｃと、を備える。その軸部８ｃは、表示部側ヒンジ８ａおよび表示部側ヒンジ８ｂを回転可能に係合しており、それにより、連結部１０の一端部は入力表示部２に対して回動可能となっている。
【００７７】
ここで、本体側ヒンジ７および表示部側ヒンジ８は、図６、図７に示す構造のヒンジに限定されない。同様の機能を有するヒンジであれば、他の種類のヒンジを用いることも当然に可能である。従って、本体側ヒンジ７および表示部側ヒンジ８は、入力表示部２、本体４、あるいは連結部１０の構造や形状等に応じて、他の種類のヒンジで代替することも可能である。
【００７８】
〔本体側ヒンジ７および表示部側ヒンジ８の動作〕
次に、本体側ヒンジ７および表示部側ヒンジ８の動作を図８から図１１に示す。図８から図１１は、順に、収納状態、第１入力操作状態、第１入力操作状態〜第２入力操作状態の移行時、および第２入力操作状態を示す。また、各図（ａ）は上面図を、各図（ｂ）は斜視図を、各図（ｃ）は背面図を、各図（ｄ）は側面図をそれぞれ示す。
【００７９】
収納状態から第２入力操作状態へ移行するまでの本体側ヒンジ７および表示部側ヒンジ８の概略動作を説明すると、本体側ヒンジ７は、本体４の端部に連結部１０を回動可能に連結し、表示部側ヒンジ８は、入力表示部２を連結部１０に対して回動可能に連結する。そして、表示部側ヒンジ８を軸として入力表示部２が回動して、入力表示面３が上向きに配設されると共に、本体側ヒンジ７を軸として連結部１０が本体４側に回動することにより、入力表示部２の下端が、本体４が設置されている載置台１００に当接する。
【００８０】
このように、本体側ヒンジ７および表示部側ヒンジ８の回動動作により、会議用情報端末装置１は、収納状態から第２入力操作状態へ、あるいは、第２入力操作状態から収納状態へ移行することができる。
【００８１】
ここで、本体側ヒンジ７は、連結部１０を本体４の側に回動させるときに必要なトルクが、連結部１０をその反対側に回動させるときに必要なトルクよりも大きくてよい。つまり、入力表示部２は、移動方向に応じて、進みやすい方向および進みにくい方向を有する構成で実現されてもよい。
【００８２】
上記構成によれば、移動方向に応じてトルク差を設けることにより、連結部１０を本体４の側に回動させる方向とは反対の方向、すなわち、入力表示部２を本体４に対して「開く」方向に移動させやくなるため、本体４と入力表示部２との間、あるいは入力表示部２と載置台１００との間にユーザが手や指を挟んだ場合に、その衝撃を緩和することができる。なお、そのような機能を有するヒンジとして、上記のトーションスプリング付ヒンジを用いることができる。
【００８３】
〔各所への接触緩和ゴムの取り付け〕
次に、会議用情報端末装置１の各所に取り付ける接触ゴムについて図１２、図１３を参照して説明する。
【００８４】
図１２は、接触緩和ゴム３０の取付位置を説明するための図である。
【００８５】
接触緩和ゴム３０は、少なくとも次の３箇所に設けられる。１箇所目は、入力表示部２と連結部１０との接触箇所であり、入力表示部２または連結部１０の少なくとも何れか一方に取り付けられればよい。２箇所目は、本体４と連結部１０との接触箇所であって、本体４または連結部１０の少なくとも何れか一方、好ましくは連結部１０の側に取り付けられる。３箇所目は、入力表示部２と載置台１００との接触箇所であって、入力表示部２の側に設けられる。
【００８６】
これにより、上記各箇所において、会議用情報端末装置１が部材間、あるいは載置台１００との接触によって受ける衝撃を緩和することができ、その結果、会議用情報端末装置１が破損等するリスクを抑えることができる。
【００８７】
図１３は、入力表示部２の底面（図中、Ｚ軸方向に立ち上がった入力表示部２の、本体４の側に位置する面）における、接触緩和ゴム３０の取付位置を示す図である。
【００８８】
図示するように、第１入力操作状態と第２入力操作状態との間において、入力表示部２は、連結部１０に結合した表示部側ヒンジ８によってその裏面を、本体４によってその底面を支持されている。そして、接触緩和ゴム３０は、入力表示部２の底面であって、本体４と接触する箇所に取り付けられる。
【００８９】
これにより、入力表示部２と本体４とが接触する際の衝撃を和らげることができ、会議用情報端末装置１が破損等するリスクが低減される。
【００９０】
ここで、図１３に示される接触緩和ゴム３０の１実施例を図１４に示す。図１４は、入力表示部２の底面であって、本体４と接触する箇所に取り付けられる接触緩和ゴム３０の実施例を説明するための図である。
【００９１】
図示するように、接触緩和ゴム３０は、幅３．３ｍｍ（Ｘ軸方向）、奥行き０．８ｍｍ（Ｙ軸方向）、高さ５ｍｍ（Ｚ軸方向）の三角柱となっている。つまり、本実施例では、接触緩和ゴム３０は、奥行きが０．８ｍｍと薄いため、会議用情報端末装置１を使用するときにユーザの邪魔とはならない。なお、高さは５ｍｍとなっているが、本体４の厚みに応じて適宜変更可能である。同様に、幅は３．３ｍｍとなっているが、高さ同様に適宜変更することが可能である。
【００９２】
ここで、図１３、図１４を参照して説明した接触緩和ゴム３０の材質は特に限定されず、種々のゴムを使用することができる。また、接触緩和ゴム３０の形状および寸法は、図１４を参照して説明した形状および寸法に限定されず、種々の形状および寸法で実現することができる。
【００９３】
〔会議用情報端末装置１のサーバ２００との関係、および内部構成について〕
次に、会議用情報端末装置１の要部構成、および、サーバ２００との関係を図１５により説明する。
【００９４】
会議用情報端末装置１は、会議やミーティングなどで使用されるものであり、一または複数の会議用情報端末装置１がサーバ２００と接続可能である。そして、ユーザは、会議用情報端末装置１を用いて、同じ会議室内あるいは遠隔の会議室間で、サーバ２００を介した共通の画面の確認、画面操作等が可能である。
【００９５】
図１５は、会議用情報端末装置１のサーバ２００との関係、および内部構成について説明するための図である。図示するように、サーバ２００には複数の会議用情報端末装置１が接続している。そして、当該複数の会議用情報端末装置１のユーザは、共通のサーバ２００を介して、共通の画面の確認、画面操作等が可能である。なお、会議用情報端末装置１は、サーバ２００との接続にＬＡＮインターフェース５１を使用する。このとき、サーバ２００とＬＡＮインターフェース５１との接続は、無線または有線の何れであってもよい。
【００９６】
次に、会議用情報端末装置１の内部構成を概説する。会議用情報端末装置１は、自装置の各部を制御するための制御部５０を備える。つまり、制御部５０は、少なくとも、キー入力操作部５、入力表示部２、マイク２０、ＬＥＤライト２１、ＬＡＮインターフェース５１、及びスピーカ５２を制御して、各部の機能を発揮させる。なお、制御部５０による各部の制御方法は、公知技術等を用いてよいため、ここでの詳細説明は省略する。
【００９７】
〔会議用情報端末装置１の動作〕
次に、会議用情報端末装置１の動作を図１および図２を参照して説明する。図２は、会議用情報端末装置１の動作を説明するための側面図であり、図２（ａ）は収納状態を、図２（ｂ）は第１入力操作状態を、図２（ｃ）は第１入力操作状態から第２入力操作状態へ移行する状態を、図２（ｄ）は第２入力操作状態を示す側面図である。
【００９８】
図１（ａ）および図２（ａ）は、会議用情報端末装置１が収納状態にあるときの様子を示す図である。このとき、連結部１０は、入力表示部２の背面（入力表示面３とは反対側の面）に当接した状態にある。
【００９９】
図１（ｂ）および図２（ｂ）は、会議用情報端末装置１が第１入力操作状態にあるときの様子を示す図である。このとき、連結部１０は、収納状態のときと同様に、入力表示部２の背面に当接した状態にある。
【０１００】
なお、収納状態から第１入力操作状態への移行、あるいは、第１入力操作状態から収納状態への移行は、連結部１０が、本体側ヒンジ７を介して、回動点Ａを中心に本体４に対して“開”方向（収納状態から第１入力操作状態へ移行する方向）あるいは“閉”方向（第１入力操作状態から収納状態へ移行する方向）に回動することによって実現する。
【０１０１】
図１（ｃ）および図２（ｃ）は、会議用情報端末装置１が、第１入力操作状態から第２入力操作状態へ、あるいは、第２入力操作状態から第１入力操作状態へ移行するときの様子を示す図である。このとき、連結部１０は、収納状態および第１入力操作状態の場合とは異なり、入力表示部２の背面には当接していない。また、入力表示部２は、連結部１０に結合した表示部側ヒンジ８によってその背面を、本体４によってその底面部（つまり、Ｚ軸方向に立ち上がった入力表示部２の、本体４の側に位置する底面）を支持されている。
【０１０２】
なお、第１入力操作状態と第２入力操作状態との間の移行は、連結部１０が、本体側ヒンジ７を介して、回動点Ａを中心に本体４に対して回動し、かつ、表示部側ヒンジ８を介して、回動点Ｂを中心に入力表示部２に対して回動することによって実現する。
【０１０３】
ここで、図２（ｃ）に示すとおり、表示部側ヒンジ８は、入力表示部２が鉛直方向に保持された状態において、入力表示部２の上側に設けられている（図中ｍ、ｎにおいて、ｍ＞ｎとなる関係）。これにより、後述の図１（ｄ）および図２（ｄ）に記載する第２入力状態を実現することができる。
【０１０４】
図１（ｄ）および図２（ｄ）は、会議用情報端末装置１が第２入力操作状態にあるときの様子を示す図である。このとき、図示するように、入力表示部２の裏面は、連結部１０に結合された表示部側ヒンジ８と本体４を載置する載置台１００とによって支持されている。従って、入力表示部２は、第２入力操作状態において、入力表示面３が上方向に向いた状態となっている。
【０１０５】
加えて、表示部側ヒンジ８と載置台１００とでは入力表示部２の裏面を支持するＺ方向の位置（高さ）が異なっており、載置台１００が入力表示部２を支持する高さの方が低い。それゆえ、入力表示面３は、ユーザに対して傾斜をもって支持された状態となる。
【０１０６】
なお、図２（ｄ）では、本体４の先端部（同図の左側先端部、すなわち、ユーザの側）に切り欠きが存在する。その切り欠きは、表示部側ヒンジ８と載置台１００とに支えられた入力表示部２の傾斜に合わせた形状となっている。このように、本体４の先端部（図２（ｄ）には切り欠きが存在してもよく、その場合、入力表示部２の裏面は、本体４の当該切り欠き面に沿って接触することとなる。
【０１０７】
ただし、会議用情報端末装置１は、上記の切り欠きを必ずしも必要としているわけではなく、入力表示部２が表示部側ヒンジ８と載置台１００とに傾斜をもって支えられるのであれば、本体４に上記切り欠きを設けない構成とすることも可能である。
【０１０８】
〔会議用情報端末装置１によって得られる効果〕
以下、会議用情報端末装置１によって得られる効果を説明する。
【０１０９】
会議用情報端末装置１は、平板状の本体４と、本体４と重なり合う平板状の入力表示部２と、本体４と入力表示部２とを連結する連結部１０と、本体４の端部に連結部１０を回動可能に連結する本体側ヒンジ７と、入力表示部２を連結部１０に対して回動可能に連結する表示部側ヒンジ８とを備え、本体４の表面が鉛直方向上向きとなるように載置台１００上に設置して使用する会議用情報端末装置１であって、表示部側ヒンジ８を軸として入力表示部２を回動させて、入力表示部２の入力表示面３を上向きとすると共に、本体側ヒンジ７を軸として連結部１０を本体４側に回動させたときに、入力表示部２の下端が、本体４が設置されている載置台１００に当接する。
【０１１０】
上記構成によれば、会議用情報端末装置１は、表示部側ヒンジ８を軸として入力表示部２を回動させて、入力表示部２の入力表示面３を上向きとすることができる。このとき、入力表示部２は、本体４に接続された連結部１０を介して表示部側ヒンジ８に連結している。さらに、本体側ヒンジ７を軸として連結部１０を本体４側に回動させたときに、入力表示部２の下端は、本体４が設置されている載置台１００に当接している。
【０１１１】
つまり、入力表示部２は、上記の状態において、表示部側ヒンジ８と載置台１００とに支持されており、その支持される位置（高さ）は、載置台１００が入力表示部２を支持する位置の方が低くなる。従って、会議用情報端末装置１は、入力表示面３が傾斜をもって支持された状態（第２入力操作状態）を実現することができる。
【０１１２】
それゆえ、ユーザは、入力表示面３を確認する際に真上から覗き込む操作姿勢を要求されることはない。また、ユーザが本体４上方から覗き込みやすくするために本体４を手元に引き寄せるといった動作も不要となる。さらに、入力表示面３に対して入力操作が可能な場合には、本体４の高さの影響を受けて、入力操作時に肘を曲げた不自然な姿勢を強いられることもなく、ユーザへの負担を軽減することができる。
【０１１３】
このように、会議用情報端末装置１では、入力表示面３が傾斜をもって表示部側ヒンジ８と載置台１００とによって支持されるため、ユーザにとって使いやすく、かつ利便性に優れた会議用情報端末装置１を実現することができる。
【０１１４】
さらに、会議用情報端末装置１では、本体側ヒンジ７は、連結部１０を本体４側に回動させるときに必要なトルクが、連結部１０をその反対側に回動させるときに必要なトルクよりも大きい構成であってよい。
【０１１５】
「連結部１０を本体４側に回動させる」とは、入力表示部２が第２入力操作状態へ向かって回動すること、あるいは、入力表示部２が本体４と重なり合う方向に回動することを意味する。
【０１１６】
従って、会議用情報端末装置１では、トルク差を設けることにより、連結部１０を本体４側に回動させる方向とは反対の方向、すなわち、入力表示部２を本体４に対して「開く」方向に移動させやすいため、ユーザが、本体４と入力表示部２との間、あるいは入力表示部２と載置台１００との間に手や指を挟んだ場合に、その衝撃を緩和できるという効果を奏する。
【０１１７】
さらに、会議用情報端末装置１では、入力表示面３は、液晶表示パネルであり、荷電したときの中間階調における画素の明るさが、上端側から下端側に近付くにつれて明るくなる向きで入力表示部２に固定される構成であってよい。
【０１１８】
液晶が荷電されると、その方向を変えるために画素に明暗が生じる。このとき、液晶の配勾向きにより、明暗が液晶パネルの上下で相違する。その明暗は、通常の液晶パネルの配置であれば、入力表示面３の上端側から下端側へ向かうにつれ白（明）から黒（暗）へと変化してゆく。そして、白い方が、入力表示面３の映像がより鮮明に表示される。
【０１１９】
この点、会議用情報端末装置１では、液晶パネルは、荷電したときの中間階調における画素の明るさが、上端側から下端側に近付くにつれて明るくなる向きで、入力表示部２に固定されている。
【０１２０】
これにより、ユーザに近い方である入力表示面３の下端側の映像がより鮮明に表示されるため、ユーザにとって画面の確認が容易となり、利便性の高い会議用情報端末装置１をユーザに提供することができる。
【０１２１】
このことを、図１６を参照して説明する。図１６は、液晶パネルの視野角を説明するための図であり、図１６（ａ）は、電圧をオフしたときに画素が明となる状態を、図１６（ｃ）は、電圧をオンにしたときに画素が暗となる状態を、図１６（ｂ）は、その中間調の状態を示す図である。なお、液晶は、図１６（ａ）で示される状態では主として旋光性を有し、図１６（ｂ）で示される状態では旋光性および複屈折性を有し、図１６（ｃ）で示される状態では主として複屈折性（垂直方向ではほぼゼロ）を有する。
【０１２２】
図１６（ａ）〜図１６（ｃ）に示すように、液晶が荷電されると、液晶の配勾向きを変えるために画素に明暗が生じる。このとき、液晶の配勾向きにより、液晶パネルの上下で明暗が相違する。その明暗は、通常の液晶パネルの配置であれば、色が反転したように上方から下方へ向かうにつれ白（明）から黒（暗）へと変化してゆく。そして、白い方が、入力表示面３の映像をより鮮明に表示させることができる。
【０１２３】
この点、会議用情報端末装置１では、液晶パネルは、荷電したときの中間調における画素の明暗が、第２入力操作状態のときに、ユーザから近い方が白く、ユーザから遠い方が黒くなる。つまり、会議用情報端末装置１では、通常の液晶パネルと逆向きに液晶パネルが配置されている。
【０１２４】
これにより、ユーザに近い方の映像をより鮮明に液晶パネル上に表示することができるため、利便性の高い会議用情報端末装置１をユーザに提供することができる。
【０１２５】
さらに、会議用情報端末装置１では、連結部１０は、入力表示部２よりも幅の狭い平板状であり、入力表示部２の下端が、本体４が設置されている載置台１００に当接する状態において、本体４の表面の連結部１０及び入力表示部２と重なり合わない領域に、自装置から音声を出力するスピーカ、自装置に音声を入力するマイク２０、及び自装置の動作状態を表示するＬＥＤライト２１の少なくとも何れかが設けられている構成であってよい。
【０１２６】
入力表示部２の下端が本体４が設置されている載置台１００に当接する状態において、本体４の表面の連結部１０及び入力表示部２と重なり合わない領域は、その領域の上方が開放されている。
【０１２７】
従って、その領域は、入力表示部２や連結部１０材が覆いかぶさることがないため、スピーカ、マイク２０、及びＬＥＤライト２１の少なくとも何れかを当領域に設けた場合に、スピーカ、マイク２０、及びＬＥＤライト２１の有する機能を十全に発揮させることができる。
【０１２８】
さらに、会議用情報端末装置１では、表示部側ヒンジ８を軸として入力表示部２を回動させて、入力表示部２の裏面と連結部１０とを当接させると共に、本体側ヒンジ７を軸として連結部１０を本体４側に回動させることによって、本体４と入力表示部２とを重なり合わせた状態で、本体４と入力表示部２とを係止する係止部２４を備えている構成であってよい。
【０１２９】
本体４と入力表示部２とを係止する係止部２４を備えていることにより、会議用情報端末装置１は、入力表示部２の入力表示面３を本体４の表面に対向する位置に配置してなる状態（収納状態）をより安定的に保持することができる。従って、ユーザが収納状態で会議用情報端末装置１を持ち運ぶ際に、収納状態が不意に解除される事態を回避することができる。
【０１３０】
なお、係止部２４は、例えば、入力表示部２に設けた凹部２４ａと本体４に設けた凸部２４ｂとを互いに係合させる構成や、入力表示面３および本体４に設けた磁石を互いに接合させるといった種々の構成などで実現することができる。
【０１３１】
以上、会議用情報端末装置１の構成、動作、効果について説明した。なお、会議用情報端末装置１の各部材の形状、寸法、材質等は、会議用情報端末装置１の上記構成、効果を実現するものであれば特に限定されず、適宜調節することができる。
〔本発明の他の表現〕
本発明に係る電子機器は、上記の課題を解決するために、
表面にキー操作部を有する本体と、表示面にデータ入力手段を有する入力表示部と、上記入力表示部を上記本体に連結する連結部と、上記連結部の一端部を上記本体に対して回動可能に結合する本体側ヒンジと、上記入力表示部を上記連結部の他端部に回動可能に結合する表示部側ヒンジとを有し、上記入力表示部の上記表示面を、上記本体のキー操作部と対向する位置に配置してなる収納状態と、上記表示面を見ながら上記キー操作部によるキー入力操作が行えるように、上記表示面を上記キー操作部に対してある角度以上開いてなる第１入力操作状態と、上記データ入力手段によるデータ入力操作が行えるように、上記表示面を上向きに配置してなる第２入力操作状態との３つの状態をとりうる電子機器において、
上記第２入力操作状態のときに、上記入力表示部の裏面が、上記連結部に結合された上記表示部側ヒンジと、上記本体を載置する載置台とによって支持されていることを特徴
としている。
【０１３２】
上記構成によれば、本発明に係る電子機器は、収納状態と、第１入力操作状態と、第２入力操作状態との３つの状態をとりうる。このうち、第２入力操作状態は、データ入力手段によるデータ入力操作が行えるように、入力表示部の表示面を上向きに配置してなる状態である。加えて、第２入力操作状態のときに、入力表示部の裏面が、連結部に結合された表示部側ヒンジと本体を載置する載置台とによって支持されている。
【０１３３】
つまり、表示部側ヒンジと上記載置台とでは入力表示部の裏面を支持する位置（高さ）が異なり、載置台が入力表示部を支持する高さの方が低くなる。それゆえ、入力表示面は、ユーザに対して傾斜をもって支持された状態となる。
【０１３４】
従って、第２入力操作状態のときに、入力表示面が上側を向いた状態とすることができるため、ユーザは、入力操作の際に真上から覗き込む操作姿勢を要求されることはない。また、ユーザが本体上方から覗き込みやすくするために本体を手元に引き寄せるといった動作も不要となる。さらに、本体の高さの影響を受けて、入力操作時に肘を曲げた不自然な姿勢を強いられることもなく、ユーザへの負担を軽減することができる。
【０１３５】
このように、第２入力操作状態のときに、入力表示部の裏面が、連結部に結合された表示部側ヒンジと本体を載置する載置台とによって支持されていることにより、ユーザにとって使いやすく、かつ利便性に優れた電子機器を実現することができる。
【０１３６】
さらに、本発明に係る電子機器では、
上記第２入力操作状態のときに、上面視において上記入力表示部および上記連結部と上記本体とが重畳する上記本体の上記表面の領域を重畳領域とした場合、
上記本体は、上記重畳領域とは異なる領域に、ユーザの声を拾うためのマイクを備えることが好ましい。
【０１３７】
また、本発明に係る電子機器では、
上記第２入力操作状態のときに、上面視において上記入力表示部および上記連結部と上記本体とが重畳する上記本体の上記表面の領域を重畳領域とした場合、
上記本体は、上記重畳領域とは異なる領域に、自機器の動作状態を表示するＬＥＤライトを備えることが好ましい。
【０１３８】
上記構成によれば、第２入力操作状態のときに、上記重畳領域とは異なる領域では、上面視において上記入力表示部および上記連結部と上記本体とは重畳していない。
【０１３９】
従って、その重畳領域とは異なる領域に、ユーザの声を拾うためのマイクや自機器の動作状態を表示するＬＥＤライトを設けることにより、第２入力操作状態において、入力表示部や連結部が覆いかぶさることによって上記マイクや上記ＬＥＤライトの有する機能が損なわれることもない。
【０１４０】
なお、第１入力操作状態は、入力表示部の表示面を見ながらキー操作部によるキー入力操作が行えるように、その表示面をキー操作部に対してある角度以上開いてなる状態である。従って、第１入力操作状態のときには重畳領域は存在しない。それゆえ、第２入力操作状態のときに、重畳領域とは異なる領域にマイクやＬＥＤライトを設けておけば、第１入力状態および第２入力操作状態の何れのときにおいても、上記マイクや上記ＬＥＤライトの有する機能が損なわれる事態を回避することができる。
【０１４１】
さらに、本発明に係る電子機器では、
上記本体は、その裏面に、上記載置台上で自装置を移動するときに用いる回転部材を備えることが好ましい。
【０１４２】
上記構成によれば、本体の移動に際して上記回転部材を使用することができ、本体を容易に移動させることができる。とくに、電子機器は、会議に使用されるものであって、入力表示面に表示される図面、グラフ等を複数の人に見せるために机上（載置台上）を移動させる場合が多い。そのような場合に、回転部材を用いて電子機器を移動させることにより、当該装置を移動させるときのユーザの負担を軽減することができる。また、同時に、当該装置の移動を迅速に行うことができる。
【０１４３】
なお、回転部材の数量は１または複数でよく、その形状・構造等も特に限定されない。また、例えば、ユーザから遠い側の本体裏面に２つの回転部材が設けられている場合には、ユーザは、本体手前側を持ち上げて２つの回転部材を支えに本体を移動させればよい。これにより、軽い負担で、かつ迅速に、電子機器を移動させることができる。
【０１４４】
さらに、本発明に係る電子機器では、
上記本体は、その裏面に、当該裏面と上記載置台との間に摩擦を生じさせる滑り止め部材を備えることが好ましい。
【０１４５】
本体の裏面あるいは載置台の材質等によっては、電子機器が載置台上を滑りやすい場合がある。その場合、ユーザは、自身が参加している会議等に集中することができない。
【０１４６】
そのような場合、本願発明に係る電子機器では、上記本体が、その裏面に、当該裏面と上記載置台との間に摩擦を生じさせる滑り止めを備える構成である。これにより、上記本体の裏面と上記載置台との滑りを軽減することができ、ユーザは、自身が参加する会議に集中することができる。
【０１４７】
なお、本体の裏面に回転部材が設けられている場合には、回転部材が載置台上から落下する場合も想定される。上記構成は、そのような場合に特に有効であり、上記装置が勢いをつけて載置台から落下する事態を防止することができる。
【０１４８】
さらに、本発明に係る電子機器では、
上記収納状態において、上記本体と上記入力表示部とを係止する係止部を備えていることが好ましい。
【０１４９】
上記本体と上記入力表示部とを係止する係止部を備えていることにより、本発明に係る電子機器は、入力表示部の表示面を本体のキー操作部と対向する位置に配置してなる収納状態をより安定的に保持することができる。従って、ユーザが収納状態で電子機器を持ち運ぶようなときに、収納状態から第１入力操作状態へ勝手に移行する事態を軽減することができる。
【０１５０】
なお、係止部としては、例えば、入力表示部に設けた凹部と本体に設けた凸部とを互いに係合させる構成や、入力表示面および本体に設けた磁石を互いに接合させるといった種々の構成により実現することができる。
【０１５１】
さらに、本発明に係る電子機器では、
上記表示面は、液晶パネルであり、
上記液晶パネルは、荷電したときの中間調における画素の明暗が、上記第２入力操作状態のときに、ユーザから近い方が明るく、ユーザから遠い方が暗いことが好ましい。
【０１５２】
液晶が荷電されると、その方向を変えるために画素に明暗が生じる。このとき、液晶の配勾向きにより、明暗が液晶パネルの上下で相違する。その明暗は、通常の液晶パネルの配置であれば、色が反転したように上方から下方へ向かうにつれ白（明）から黒（暗）へと変化してゆく。そして、白い方が、表示面の映像がより鮮明に表示される。
【０１５３】
この点、本発明に係る電子機器では、液晶パネルは、荷電したときの中間調における画素の明暗が、上記第２入力操作状態のときに、ユーザから近い方が明るく、ユーザから遠い方が暗くなるように構成されている。
【０１５４】
これにより、ユーザに近い方の映像をより鮮明に液晶パネル上に表示することができるため、ユーザにとって利便性の高い電子機器を実現することができる。
【産業上の利用可能性】
【０１５５】
本発明は、ユーザにとって使いやすく利便性に優れた電子機器に関し、特に、会議用情報端末装置として好適に用いることができる。
【符号の説明】
【０１５６】
１    会議用情報端末装置（電子機器）
２    入力表示部（表示部）
３    入力表示面（表示面）
４    本体
５    キー入力操作部
６    タッチパッド
７    本体側ヒンジ
７ａ  ブラケット
７ｂ  スプリング
７ｃ  シャフト
７ｄ  ストッパ
８    表示部側ヒンジ
８ａ  表示部側結合板
８ｂ  連結部側結合板
８ｃ  軸部
１０  連結部
２０、２０ａ、２０ｂ  マイク（音声入力手段）
２１  ＬＥＤライト（動作状態表示手段）
２２  回転コマ
２３  シート
２４、２４ａ、２４ｂ  係止部
３０  接触緩和ゴム
５０  制御部
５１  ＬＡＮインターフェース
５２  スピーカ（音声出力手段）
１００  載置台（平面）
２００  サーバ
Ａ、Ｂ  回動点
【図１】
2011164818.tif 000003
【図２】
2011164818.tif 000004
【図５】
2011164818.tif 000005
【図６】
2011164818.tif 000006
【図８】
2011164818.tif 000007
【図９】
2011164818.tif 000008
【図１０】
2011164818.tif 000009
【図１１】
2011164818.tif 000010
【図１２】
2011164818.tif 000011
【図１３】
2011164818.tif 000012
【図１５】
2011164818.tif 000013
【図１６】
2011164818.tif 000014
【図１７】
2011164818.tif 000015
【図１８】
2011164818.tif 000016
【図３】
2011164818.tif 000017
【図４】
2011164818.tif 000018
【図７】
2011164818.tif 000019
【図１４】
2011164818.tif 000020